(57)【要約】【課題】  書き込みを行うデータのデータ量に対して、メモリ内の書き込み領域が不足した場合に、少なくともメモリに記憶されているデータの中から削除することを選択したデータと、このデータを削除した場合に得られる空き領域との関係を、ユーザが直感的に認識できるようにする。【解決手段】  制御部は、メモリに記憶されているデータのデータ名の一覧と、帯状のゲージを表示する。そして、このゲージに対してメモリ内に最初から存在する空き領域に対応する範囲を「白色」で表示し、データの書き込みに必要な空き領域に対応する範囲を黄色で表示する。また、上記データ名の一覧のうち、削除候補として選択されたデータ名の表示領域を「緑色」で高輝度表示すると共に、この削除候補として選択されたデータのデータ量に対応する上記ゲージ上の範囲をユーザが両者の関係を直感的に認識可能となるように、上記高輝度表示されたデータと同色の「緑色」で表示する。【選択図】  図７
2006024091.tif 000002
【特許請求の範囲】
【請求項１】
記憶手段に書き込みを行う書き込みデータのデータ量に対して、上記記憶手段の空き容量が不足する場合に、上記記憶手段に記憶済みのデータのデータ名の一覧を表示手段に表示するデータ一覧表示手段と、
ユーザが操作手段を操作することで移動操作可能となっており、上記データ名の一覧の中から、上記書き込みを行うデータを上書きするデータを選択するための操作子を第１の色で上記表示手段に表示する操作子表示手段と、
全長が上記記憶手段の全体の記憶容量を示すゲージを上記表示手段に表示すると共に、少なくとも、上記記憶手段に存在する空き容量に対応する上記ゲージ上の範囲を第２の色で表示し、上記記憶手段に対して上記データの書き込みを行う際に不足する不足容量に対応する上記ゲージ上の範囲を第３の色で表示し、上記操作子で選択されたデータを削除した場合に得られる空き容量に対応する範囲を、上記操作子と同色である上記第１の色で表示するゲージ表示手段
としてコンピュータを機能させる表示制御プログラム。
【請求項２】
請求項１に記載の表示制御プログラムであって、
ユーザが上記操作手段を操作することで、上記操作子で選択したデータに対する、上記書き込みデータの上書きを決定する操作がなされた際に、上記操作子を第４の色に変更表示すると共に、上記操作子で選択したデータを削除した場合に得られる空き容量に対応する上記ゲージ上の範囲を、上記変更表示した操作子と同色である上記第４の色に変更表示する上記ゲージ表示手段としてコンピュータを機能させること
を特徴とする表示制御プログラム。
【請求項３】
請求項２に記載の表示制御プログラムであって、
ユーザが上記操作手段を操作することで、上記操作子で選択したデータに対する、上記書き込みデータの上書きを決定する操作がなされた際に、上記操作子で選択されたデータに対して、書き込み保護設定がなされているか否かを判別する判別手段としてコンピュータを機能させ、
上記判別手段としてコンピュータを機能させた際に、上記操作子で選択したデータに対して書き込み保護設定がなされていないことを示す判別結果が得られた場合に、上記操作子及び該操作子で選択したデータを削除した場合に得られる空き容量に対応する上記ゲージ上の範囲を、上記第４の色に変更表示する上記ゲージ表示手段としてコンピュータを機能させること
を特徴とする表示制御プログラム。
【請求項４】
記憶手段に書き込みを行う書き込みデータのデータ量に対して、上記記憶手段の空き容量が不足する場合に、上記記憶手段に記憶済みのデータのデータ名の一覧を表示手段に表示するデータ一覧表示手段と、
ユーザが操作手段を操作することで移動操作可能となっており、上記データ名の一覧の中から、上記書き込みを行うデータを上書きするデータを選択するための操作子を第１の色で上記表示手段に表示する操作子表示手段と、
全長が上記記憶手段の全体の記憶容量を示すゲージを上記表示手段に表示すると共に、少なくとも、上記記憶手段に存在する空き容量に対応する上記ゲージ上の範囲を第２の色で表示し、上記記憶手段に対して上記データの書き込みを行う際に不足する不足容量に対応する上記ゲージ上の範囲を第３の色で表示し、上記操作子で選択されたデータを削除した場合に得られる空き容量に対応する範囲を、上記操作子と同色である上記第１の色で表示するゲージ表示手段と
を有する端末装置。
【請求項５】
請求項４に記載の端末装置であって、
上記ゲージ表示手段は、ユーザが上記操作手段を操作することで、上記操作子で選択したデータに対する、上記書き込みデータの上書きを決定する操作がなされた際に、上記操作子を第４の色に変更表示すると共に、上記操作子で選択したデータを削除した場合に得られる空き容量に対応する上記ゲージ上の範囲を、上記変更表示した操作子と同色である上記第４の色に変更表示すること
を特徴とする端末装置。
【請求項６】
請求項５に記載の端末装置であって、
ユーザが上記操作手段を操作することで、上記操作子で選択したデータに対する、上記書き込みデータの上書きを決定する操作がなされた際に、上記操作子で選択されたデータに対して、書き込み保護設定がなされているか否かを判別する判別手段を有し、
上記ゲージ表示手段は、上記判別手段から、上記操作子で選択したデータに対して書き込み保護設定がなされていないことを示す判別結果が得られた場合に、上記操作子及び該操作子で選択したデータを削除した場合に得られる空き容量に対応する上記ゲージ上の範囲を、上記第４の色に変更表示すること
を特徴とする端末装置。
【請求項７】
データ一覧表示手段が、記憶手段に書き込みを行う書き込みデータのデータ量に対して、上記記憶手段の空き容量が不足する場合に、上記記憶手段に記憶済みのデータのデータ名の一覧を表示手段に表示するステップと、
操作子表示手段が、ユーザが操作手段を操作することで移動操作可能となっており、上記データ名の一覧の中から、上記書き込みを行うデータを上書きするデータを選択するための操作子を第１の色で上記表示手段に表示するステップと、
ゲージ表示手段が、全長が上記記憶手段の全体の記憶容量を示すゲージを上記表示手段に表示すると共に、少なくとも、上記記憶手段に存在する空き容量に対応する上記ゲージ上の範囲を第２の色で表示し、上記記憶手段に対して上記データの書き込みを行う際に不足する不足容量に対応する上記ゲージ上の範囲を第３の色で表示し、上記操作子で選択されたデータを削除した場合に得られる空き容量に対応する範囲を、上記操作子と同色である上記第１の色で表示するステップと
を有する表示制御方法。
【発明の詳細な説明】
【技術分野】
【０００１】
本発明は、例えば携帯電話機，ＰＨＳ電話機（PHS：Personal Handyphone System），ＰＤＡ装置（PDA：Personal Digital Assistant）、パーソナルコンピュータ装置等のメモリを有する機器に設けて好適な表示制御プログラムに関し、特にメモリに書き込みを行う書き込みデータのデータ量に対してメモリの空き容量が足りない場合に、該メモリに記憶されているデータの中から削除するデータの直感的かつ容易な選択を可能とした表示制御プログラム、端末装置及び表示制御方法に関する。
【背景技術】
【０００２】
従来、特開２００２−５１３８２号公報（特許文献１）に、電子メールの総送信容量が、予め定められている送信可能容量内となるように、電子メールに添付する添付ファイルの容量（添付するファイルの数）を調整可能な「移動体通信端末」が開示されている。
【０００３】
この移動体通信端末は、ファイルの添付を行う場合、送信可能容量を示すゲージと共に、添付可能なファイルの一覧をＬＣＤ表示部に表示する。このゲージは、ファイルの添付が可能な空き容量を示す範囲が第１の表示色で表示され、添付されたファイルで使用されている使用領域を示す範囲が第２の表示色で表示されるようになっている。
【０００４】
ユーザにより、ファイルの一覧の中から所望のファイルが選択されると、移動体通信端末は、その選択されたファイル名の横に、該ファイルが選択されたことを示す「○」印を表示する。また、移動体通信端末は、添付ファイルが選択されていない場合は、上記ゲージの略々全範囲を、上記第１の表示色で表示するのであるが、添付するファイルが選択されると、その選択されたファイルの容量に対応する範囲を上記第２の表示色で表示する。
【０００５】
このようなファイルの選択が繰り返し行われると、移動体通信端末は、上記ゲージにおける上記第２の表示色で表示する範囲を、上記選択されたファイルの容量に応じて徐々に延長する。ユーザは、このゲージにおける第２の表示色で表示される範囲が、当該ゲージの全長の範囲内となるように、添付するファイルの各容量を視認しながら選択を行う。これにより、添付ファイルの容量も含め、電子メールの全送信容量を、送信可能容量の範囲内に収まるように調整することができる。
【０００６】
次に、添付するファイルの選択を行った結果、添付ファイルの容量が送信可能容量を超過する場合がある。この場合、移動体通信端末は、上記ゲージの全範囲を、送信可能容量を超過したことを示す色で表示することで、ユーザに対して、添付したファイルの添付解除が必要であることを報知する。
【０００７】
ユーザにより、添付したファイルの削除（添付解除）が指定されると、移動体通信端末は、現在、その電子メールに添付することが選択されているファイルの一覧をＬＣＤ表示部に表示する。また、移動体通信端末は、上記ゲージの全範囲を上記使用領域を示す第２の表示色で表示する。
【０００８】
ユーザは、上記一覧の中から添付を削除するファイルを選択するのであるが、この選択がなされると移動体通信端末は、添付の解除が指定されたファイル名の横に、該ファイルの添付解除が指定されたことを示す「×」印を表示する。また、移動体通信端末は、この添付の解除が指定されたファイルの容量に対応する上記ゲージ上の範囲を、上記空き容量を示す色と同じ色である上記第１の表示色で表示制御する。
【０００９】
このようなファイルの添付解除の操作が繰り返し行われると、移動体通信端末は、上記ゲージにおける上記第１の表示色で表示する範囲を、上記選択されたファイルの容量に応じて徐々に延長する。ユーザは、このゲージにおける第１の表示色で表示される範囲が、当該ゲージの全長の範囲内となるように、添付が解除されるファイルの各容量を視認しながら、該ファイルの選択を行う。これにより、添付ファイルの容量も含め、電子メールの全送信容量を、送信可能容量の範囲内に収まるように調整することができる。
【００１０】
【特許文献１】特開２００２−５１３８２号公報（第４頁：図３）
【発明の開示】
【発明が解決しようとする課題】
【００１１】
しかし、前述の特許文献１に開示されている移動体通信端末は、上記ゲージ上における上記空き領域に対応する範囲を上記第１の表示色を用いて表示し、また、添付の解除が指定されたファイルの容量に対応する範囲も上記第１の表示色を用いて表示している。すなわち、両者とも同じ色である第１の表示色で表示している。このため、最初から空いている空き領域と、ファイルの添付を解除することで形成した空き領域とを見分けることが困難となる問題がある。
【００１２】
同様に、前述の送信可能容量やメモリに対して任意に空き領域を形成する場合、添付を解除するファイルや削除するファイルの組み合わせを検討しながら空き領域の形成作業を行うことが多いのであるが、添付の解除や削除を指定したファイルが複数に及ぶと、これら複数のファイルの添付の解除や削除により形成される空き領域が、一色単に上記第１の表示色で表示されるため、上記組み合わせの検討もし難い問題があった。
【００１３】
また、特許文献１に開示されている移動体通信端末は、ファイル名の一覧から添付の解除を行うファイル名上にカーソル（網掛け）が移動操作され、該添付の解除を行うファイルが選択されると、この選択されたファイルの容量に対応する上記ゲージ上の範囲を上記第１の表示色で表示するのであるが、選択されたファイルを「網掛け」を用いて表示し、選択されたファイルの添付の解除により形成される空き容量を「色（＝上記第１の表示色）」で表示しているため、選択したファイルと、この選択したファイルの添付を解除することで形成される空き領域とを、ユーザが直感的に認識し難い問題もある。すなわち、「網掛けを用いた表示」と「色を用いた表示」とでは、両者の表示の仕方に関連性が薄いため、選択したファイルと、この選択したファイルの添付を解除することで形成される空き領域とを、ユーザが直感的に認識し難くなるのである。
【００１４】
さらに、ファイルの添付を解除する場合、該添付の解除を行ってはならないファイルが存在する場合もある。同様に、メモリに保存されているファイルの中から所望のファイルを削除する場合、削除してはいけないファイルが存在する場合もある。このため、このようなファイルの添付の解除や削除が誤って指定された場合には、システム側において、このファイルの添付の解除や削除の指定を拒否、或いはユーザに対して確認を取ることが好ましい。
【００１５】
本発明は、
１．メモリ内の空き領域、及びデータの削除を行うことで新たに形成される空き領域を、ユーザが見分けが付くように表示すること
２．削除を指定したデータと、この指定されたデータの削除により形成される空き領域との関係を、ユーザが直感的に認識可能とすること
３．保護が必要なデータの削除が誤って指定された場合には、このデータを保護すること
等を目的とする。
【課題を解決するための手段】
【００１６】
本発明は、
記憶手段に書き込みを行う書き込みデータのデータ量に対して、上記記憶手段の空き容量が不足する場合に、上記記憶手段に記憶済みのデータのデータ名の一覧を表示手段に表示し、
ユーザが操作手段を操作することで移動操作可能となっており、上記データ名の一覧の中から、上記書き込みを行うデータを上書きするデータを選択するための操作子を第１の色で上記表示手段に表示し、
全長が上記記憶手段の全体の記憶容量を示すゲージを上記表示手段に表示すると共に、少なくとも、上記記憶手段に存在する空き容量に対応する上記ゲージ上の範囲を第２の色で表示し、上記記憶手段に対して上記データの書き込みを行う際に不足する不足容量に対応する上記ゲージ上の範囲を第３の色で表示し、上記操作子で選択されたデータを削除した場合に得られる空き容量に対応する範囲を、上記操作子と同色である上記第１の色で表示する。
【００１７】
このような本発明は、ゲージ上における上記記憶手段に存在する空き容量に対応する上記ゲージ上の範囲を第２の色で表示し、上記記憶手段に対して上記データの書き込みを行う際に不足する不足容量に対応する上記ゲージ上の範囲を第３の色で表示し、上記操作子で選択されたデータを削除した場合に得られる空き容量に対応する範囲を、上記操作子と同色である上記第１の色で表示することで、ユーザが、各容量を明確に認識可能とする。
【００１８】
また、削除候補となるデータの選択を行う上記操作子と、この操作子で選択されたデータを削除した場合に得られる空き容量に対応する範囲を、上記操作子と同色である上記第１の色で表示することで、両者の関係をユーザが直感的に認識可能とする。
【００１９】
また、本発明は、
ユーザが上記操作手段を操作することで、上記操作子で選択したデータに対する、上記書き込みデータの上書きを決定する操作がなされた際に、上記操作子を第４の色に変更表示すると共に、上記操作子で選択したデータを削除した場合に得られる空き容量に対応する上記ゲージ上の範囲を、上記変更表示した操作子と同色である上記第４の色に変更表示する。
【００２０】
このような本発明は、削除候補となるデータの選択を行う上記操作子と、この操作子で選択されたデータを削除した場合に得られる空き容量に対応する範囲を、上記操作子と同色である上記第４の色で表示することで、削除が決定されたデータ、及びこのデータを削除することで得られる空き容量の関係をユーザが直感的に認識可能とする。
【００２１】
また、本発明は、
ユーザが上記操作手段を操作することで、上記操作子で選択したデータに対する、上記書き込みデータの上書きを決定する操作がなされた際に、上記操作子で選択されたデータに対して、書き込み保護設定がなされているか否かを判別し、
この判別により、上記操作子で選択したデータに対して書き込み保護設定がなされていないことを示す判別結果が得られた場合に、上記操作子及び該操作子で選択したデータを削除した場合に得られる空き容量に対応する上記ゲージ上の範囲を、上記第４の色に変更表示する。
【００２２】
このような本発明は、保護が必要なデータに対する、新たなデータの上書きを未然に防止する。
【発明の効果】
【００２３】
本発明は、ゲージ上における、記憶手段内の空き領域、及びデータの削除を行うことで新たに形成される空き領域を、ユーザが見分けが付くように表示することができる。
【００２４】
また、本発明は、上書きを指定したデータと、この指定されたデータの削除により形成される空き領域との関係を、ユーザが直感的に認識可能とすることができる。
【００２５】
また、本発明は、保護が必要なデータに対してデータの上書きが誤って指定された場合でも、保護が必要なデータに対する、新たなデータの上書きを防止して、該保護が必要なデータを保護することができる。
【発明を実施するための最良の形態】
【００２６】
本発明は、携帯電話機に適用することができる。
【００２７】
［携帯電話機の回路構成］
この本発明の実施の形態となる携帯電話機は、図１に示すように基地局との間でデータの送受信を行うアンテナ１及び通信回路２と、受話音声，動画ファイルの音声，音楽データの音声等の音声出力を得るためのスピーカ部３と、送話音声等を集音するマイクロホン部４と、所望の被写体を撮像するカメラ部５と、入力操作を行うための複数のキーが設けられた操作部６とを有している。
【００２８】
また、この携帯電話機は、待ち受け画像や携帯メールの文章の他、後述する削除アプリケーションプログラムにおけるファイル名やゲージ等の表示を行う表示部７と、通信処理プログラム（コミュニケーションプログラム）や、後述する削除アプリケーションプログラム等の各種アプリケーションプログラムが記憶されたメモリ８（ＲＯＭ）と、待ち受け画像，音楽データ，送受信した携帯メールの文章データ等がが記憶されるメモリ９（ＲＡＭ）と、当該携帯電話機全体の動作制御を行う制御部１０とを有している。
【００２９】
［携帯電話機の外観構成］
この携帯電話機の外観を図２に示す。この図２において、当該携帯電話機は、上筐体３１及び下筐体３２を、表示部７の表示画面に対して略垂直となるように設けられた回転軸を介して互いの一端部同士を相互に接続することで、上筐体３１或いは下筐体３２が、該回転軸部の回転方向に沿って時計回り方向或いは反時計回り方向に回転可能とされた、いわゆる回転開閉型の携帯電話機となっている。
【００３０】
上筐体３１は、上記表示部７の他、回転操作部１４、右キー１５、左キー１６、オンフックキー１８、オフフックキー１９、ユーザセレクトキー２０及びクリアキー２１を備えた上操作部２２を有している。下筐体３２は、数字キー、＊キー、＃キー等を備えた下操作部２３と、当該下筐体の下端部に沿って設けられた上記アンテナ１とを有している。なお、上記カメラ部５は、当該携帯電話機の背面側に設けられている（図示せず）。
【００３１】
回転操作部１４は、当該回転操作部１４の最外周を形成するように設けられ、時計回り方向及び反時計回り方向に回転操作可能とされた回転操作ダイヤル２４と、回転操作ダイヤル２４の内周に沿って設けられ、少なくとも上下左右方向に押圧操作可能となっている十字キー２５と、当該回転操作部１４の中心軸上に設けられ、押圧操作可能となっている決定キー２６（Enterキー）とを有している。
【００３２】
［削除アプリケーションプログラム］
この携帯電話機の場合、ネットワークを介してダウンロードされたデータや操作部６を介して入力されたデータ、或いはカメラ部５で撮像された画像（静止画像又は動画像）のデータ等をメモリ９（或いはメモリ８）に記憶する場合、制御部１０が、以下に説明する削除アプリケーションプログラムに基づいて動作する。図３〜図５のフローチャートに、この削除アプリケーションプログラムに基づく制御部１０の一連の動作の流れを示す。
【００３３】
まず、図３のフローチャートは、メモリ９に対するデータの書き込みが発生したタイミングでスタートとなり、制御部１０は、ステップＳ１から処理を開始する。ステップＳ１では、制御部１０が、書き込みを行うデータのデータ量と、このデータの書き込み先となるメモリ９（或いはメモリ８）の空き領域の容量（空き容量）を検出し、書き込みを行うデータのデータ量が、メモリ９の空き容量以上であるか否かを判別する（データ量＞空き容量）。
【００３４】
ここで、当該携帯電話機の場合、データの書き込み先となるメモリを予め指定可能となっている。すなわち、図１に示すメモリ９（ＲＡＭ）は、当該携帯電話機に予め内蔵されている内蔵メモリと、当該携帯電話機に外付けのかたちで接続される外部メモリとを一括して図示したものとなっている。ユーザは、データの記憶先として、上記内蔵メモリ或いは外部メモリを予め選択設定する。このため、制御部１０は、このステップＳ１においては、ユーザにより設定されたメモリの空き容量を検出することとなる。
【００３５】
このステップＳ１において、制御部１０は、書き込みを行うデータのデータ量に対して、メモリ９の空き容量に余裕があると判別した場合、処理をステップＳ１４に進め、上記データをメモリ９に保存してこの図３〜図５に示すフローチャートの処理を終了する（エンド）。
【００３６】
一方、このステップＳ１において、制御部１０は、書き込みを行うデータのデータ量に対して、メモリ９の空き容量が不足しているものと判別した場合、処理をステップＳ２にに進める。
【００３７】
なお、前述のようにデータの書き込みを行うメモリは、ユーザにより予め指定されている。このため、書き込みを行うデータのデータ量に対して、メモリ９の空き容量が不足しているものと判別した場合は、制御部１０が、
ユーザに対して、書き込み先に指定されているメモリの変更を行うか否かを問うメッセージ等を表示部７に表示制御するステップと、
このメッセージに対応して、ユーザから書き込み先となるメモリの変更操作がなされた場合は、処理を上記ステップＳ１に戻し、この変更されたメモリの空き容量を検出するステップと、
変更されたメモリの空き容量が、書き込みを行うデータのデータ量以上であった場合に、処理をステップＳ１５に進めて、この変更されたメモリに対してデータの書き込みを行うステップと
を実行するようにしてもよい。上記変更されたメモリの空き容量が、書き込みを行うデータのデータ量よりも少なかった場合、制御部１０は、以下に説明するステップＳ２に処理を進めることとなる。
【００３８】
次に、ステップＳ２では、制御部１０が、メモリ８に記憶されている削除アプリケーションプログラムを起動して処理をステップＳ３に進め、このステップＳ３において、メモリ９に形成されているフォルダの一覧と共に、全長がメモリ９の容量を示す長さのゲージを表示部７に表示制御する。また、制御部１０は、フォルダ一覧の中から、データの書き込みを行うフォルダを選択するためのフォーカスを表示制御する。
【００３９】
すなわち、この携帯電話機においては、メモリ８の記憶領域を複数の領域に分割し、これら各分割領域に対して、例えば「画像用（画像フォルダ）」、「音声用（音声フォルダ）」、「アプリケーション用（アプリケーションフォルダ）」・・・等のようにフォルダ名を付け、該各フォルダに対して選択的にデータの書き込み可能となっている。このため、制御部１０は、このステップＳ３において、メモリ９に設定された各フォルダのフォルダ名の一覧と共に、このフォルダ一覧の中から、データの書き込みを行うフォルダを選択するためのフォーカスを表示制御する。
【００４０】
この「フォーカス」とは、上記書き込みを行うフォルダのフォルダ名や、以下に説明する上書きにより消去するデータのデータ名の表示領域全体を、該フォルダ名やデータ名と共に、例えば「緑色」に輝かせる表示を意味している。以下、このような表示を「フォーカスをあてる」という文言で表現する。なお、このフォーカスをあてる代わりに、いわゆるカーソルを表示するようにしてもよい。
【００４１】
図６に、フォルダ一覧及びゲージが表示された表示画面の一例を示す。この図６は、フォルダ一覧として「画像フォルダ」、「音声フォルダ」、「アプリケーションフォルダ」・・・が表示され、メモリ９の全記憶領域のうち、現在、１６００ＫＢが使用されており、データの書き込みを行うのに１６０ＫＢの空き領域が必要となる事を示す数値が表示され、ゲージのうち、略１／６程度の領域がメモリ９の空き領域を示す「白色」で表示され、残り略５／６程度の領域がデータの書き込みを行うのに不足する領域を示す「黄色」で表示されている例である。また、この図６は、フォルダ一覧のうち、最上段に表示した「画像フォルダ」のフォルダ名に対して「緑色」のフォーカスがあてられている例である。
【００４２】
一例ではあるが、制御部１０は、以下に説明する演算を行うことで、このようなゲージの色分け表示を行う。すなわち、制御部１０は、
１．ゲージの表示領域の全長に対応する画素数を検出し、
２．ゲージの表示領域を形成する横方向に連続する画素を「画素列」、縦方向に連続する画素を「画素行」とし、「メモリ全体の記憶容量÷ゲージの全長の画素数」を演算することで、「１画素行」に対応するバイト数（＝「１画素行」に割り当てられるバイト数）を算出し、
３．フォーカスのあてられているデータのデータ量に対応する画素数を算出し、
４．算出結果に対応するゲージ上の範囲の色を設定して表示
する。
【００４３】
なお、制御部１０は、この図６に示す表示画面を表示した際、デフォルト的に、フォルダ一覧の最上段に表示したフォルダ名に対してフォーカスをあてるように表示制御を行う。
【００４４】
このフォーカスをあてる領域は、上記フォルダ名やデータ名に沿って順次移動操作可能となっている。制御部１０は、図２に示す上操作部２２の十字キー２５の上キーの操作を検出すると、現在、フォーカスをあてているフォルダ名の表示領域の一つ上のフォルダ名の表示領域に、フォーカスをあてる領域を移動制御し、また、十字キー２５の下キーの操作を検出すると、現在、フォーカスをあてているフォルダ名の表示領域の一つ下のフォルダ名の表示領域に、フォーカスをあてる領域を移動制御する。
【００４５】
ユーザは、このように十字キー２５を上下に操作してフォーカスのあたっている領域を移動操作し、図２に示す回転操作部１４の決定キー２６を押圧操作することで、データの書き込みを行う所望のフォルダを指定する。
【００４６】
図３のフローチャートのステップＳ４では、制御部１０が、この決定キー２６の押圧操作がなされたか否かを判別しており、決定キー２６の押圧操作を検出しない場合は、上記十字キー２５の上下の操作に応じてフォーカスをあてる領域を移動制御し、決定キー２６の押圧操作を検出した場合に、データの書き込みを行うフォルダが選択されたものとして、処理を図４に示すフローチャートのステップＳ５に進める。
【００４７】
ステップＳ５では、制御部１０が、決定キー２６が押圧操作された際に、フォーカスをあてていたフォルダに記憶されているデータのデータ名一覧と共に、上記ゲージを表示部７に表示制御する。また、制御部１０は、デフォルト的に、このデータ一覧の最上段に表示したデータ名に対して「緑色」のフォーカスをあてると共に、このフォーカスをあてたデータを削除することでメモリ９内に形成される空き領域に対応する上記ゲージ上の範囲を演算し、この演算で算出された範囲を、上記「白色」で表示した該メモリ９に最初から存在する空き領域の表示領域に隣接させるかたちで、上記フォーカスの色と同色の「緑色」で表示する。
【００４８】
図７に、データ一覧及びゲージが表示された表示画面の一例を示す。この図７は、データ一覧として「Ａｐｐ００１（Ａｐｐ：アプリケーションプログラム）」、「Ａｐｐ００２」、「Ａｐｐ００３」・・・が表示され、この画像フォルダの全記憶領域のうち、現在、３２ＫＢが使用されており、データの書き込みを行うのに１６０ＫＢの空き領域が必要となる事を示す数値が表示され、ゲージのうち、略１／６程度の領域がメモリ９の空き領域を示す「白色」で表示され、残り略５／６程度の領域がデータの書き込みを行うのに不足する領域を示す「黄色」で表示されている例である。また、この図６は、フォルダ一覧のうち、最上段に表示した「画像フォルダ」のフォルダ名に対して「緑色」のフォーカスがあてられている例である。
【００４９】
このような表示制御により、ユーザは、
１．ゲージ上に「白色」で表示された範囲で、メモリ９の全記憶領域と、該メモリ９に最初から存在する空き領域との割合を認識することができ、
２．現在選択中のデータに緑色のフォーカスがあてられ、このデータを削除することでメモリ９に形成される空き領域の範囲がゲージ上に「緑色」で表示されるため、同じ緑色で表示されることで、上記データを削除することでメモリ９に形成される空き領域を直感的に認識することができ、
３．ゲージ上には、メモリ９に最初から存在する空き領域の範囲が「白色」で表示され、データを削除することでメモリ９に形成される空き領域の範囲が「緑色」で表示されるため、両者を分けて認識することができる。
【００５０】
次に、前述のように「緑色」のフォーカスがあてられている領域は、十字キー２５を上下に操作することで移動可能となっている。このため、ユーザは、十字キー２５を上下に操作して削除するデータ一覧の中から削除するデータ（＝上書きを行うデータ）を選択する。図４のフローチャートのステップＳ６では、制御部１０が、十字キー２５の操作を検出することで、フォーカスの移動操作がなされたか否かを判別し、フォーカスの移動操作を検出した場合は、処理をステップＳ５に戻して、上記十字キー２５の移動操作に応じてフォーカスを移動表示する。
【００５１】
一方、フォーカスの移動操作を検出しない場合、制御部１０は、ステップＳ７に処理を進め、上記回転操作部１４の決定キー２６が押圧操作されたか否かを判別することで、削除するデータが選択されたか否かを判別する。そして、決定キー２６が押圧操作を検出しない場合は、処理をステップＳ６に戻して、前述のフォーカスの移動操作の有無を判別し、決定キー２６の押圧操作を検出したタイミングで処理をステップＳ８に進める。
【００５２】
〔保護設定されているデータの保護〕
ここで、メモリ９に記憶したデータの中には、ユーザ側から見て、或いは当該携帯電話機のシステム側から見て消去することが好ましくないデータも存在する。システム側から見て消去することが好ましくないデータに対しては、そのデータの消去を不可とする保護設定がシステム側において予めなされているのであるが、ユーザが記憶させるデータに対しては、ユーザが操作部６を操作して、各データ毎に個別に保護設定を施すようになっている。
【００５３】
このため、上記ステップＳ７において、ユーザにより消去（上書き）されるデータが選択された場合、制御部１０は、ステップＳ８において、この消去が選択されたデータに対して保護設定がなされているか否かを判別する。具体的には、保護が設定されているデータに対しては、メモリ９に記憶されているそのデータの例えばヘッダ情報等に、保護が設定されていることを示すフラグが立っている。制御部１０は、このフラグの有無を判別することで、保護設定の有無を判別している。
【００５４】
このステップＳ８において、そのデータに対して保護設定がなされていない場合、該データは消去しても良いため、制御部１０は、図５のステップＳ９へ処理を進める。
【００５５】
これに対して、そのデータに対して保護設定がなされている場合、該データの消去は好ましくないため、制御部１０は、ステップＳ１５において、例えば「選択したデータには保護設定がされています。他のデータを選択して下さい。」等のエラーメッセージを表示部７に表示制御して、処理をステップＳ６に戻す。このエラーメッセージを見たユーザは、再度、データの一覧の中から消去してもよいデータを選択することとなる。
【００５６】
なお、この例では、保護設定のなされているデータが、消去するデータとして選択された場合にエラーメッセージを表示して、このデータを保護することとしたが、これは、前述のデータ一覧（図７参照）を表示する際に、制御部１０が、表示する全部のデータに対して保護設定がなされているか否かを判別し、保護設定のなされていないデータのデータ名のみ、上記データ一覧として表示部７に表示制御するようにしてもよい。
【００５７】
また、制御部１０が、表示する全部のデータに対して保護設定がなされているか否かを判別し、保護設定のなされているデータのデータ名を、該保護設定がなされていることをしめすべく、「データ名の半輝度表示」或いは「赤色等の所定の色のフォーカスをあてる」ようにしてもよい。
【００５８】
また、そのデータに対して保護設定がなされていると判別した場合、ステップＳ１５において、例えば「このデータには保護設定がされていますが、保護設定を解除しますか？」等の保護設定の解除の有無をユーザに問うメッセージを表示し、そのデータの保護を継続して行うか否かをユーザに選択させるようにしてもよい。この場合、ユーザによりそのデータを継続して保護することが指定された場合、制御部１０は、処理をステップＳ６に戻し、ユーザにより保護設定の解除が指定された場合、制御部１０は、以下に説明する図５のフローチャートのステップＳ９へ処理を進めることとなる。
【００５９】
次に、図５のフローチャートのステップＳ９では、制御部１０が、ユーザにより削除することが選択されたデータのデータ名に「水色」のフォーカスをあてると共に、このユーザにより削除することが選択されたデータのデータ量に対応する上記ゲージ上の範囲を、上記同色となる「水色」で表示する。
【００６０】
図８に、ユーザにより削除することが選択されたデータに対して水色のフォーカスがあてられたデータ一覧、及び対応するデータの範囲が水色とされたゲージが表示された表示画面の一例を示す。この図８は、データ一覧のうち、ユーザにより削除することが選択された「Ａｐｐ００１」のデータ名に対して上記「水色」のフォーカスがあてられ、ゲージにおける上記「Ａｐｐ００１」のデータ量に対応する範囲が「水色」で表示されている例である。
【００６１】
すなわち、この携帯電話機の場合、
１．削除するデータを選択するためのフォーカスの色を「緑色」とし、回転操作部１４の回転操作ダイヤル２４の回転操作に応じて、この「緑色」のフォーカスをあてるデータを移動制御する、
２．「緑色」のフォーカスをあてたデータのデータ量に対応するゲージ上の範囲を、この「緑色」のフォーカスと同色の「緑色」で表示する、
３．決定キー２６の押圧操作を検出した場合、「緑色」のフォーカスをあてていたデータの該フォーカスの色を「水色」のフォーカスに変更すると共に、ゲージ上に「緑色」のフォーカスをあてていた範囲を、この水色のフォーカスと同色の「水色」で表示する。
【００６２】
これにより、上記ゲージ上には、最初から存在する空き領域に対応する範囲が「白色」で表示され、この「白色」の範囲に隣接するかたちで、上記削除が決定されたデータに対応する範囲が「水色」で表示され、この「水色」の範囲に隣接するかたちで、現在選択中のデータに対応する範囲が「緑色」で表示され、残りの範囲が不足領域分を示す「黄色」で表示されることとなる。
【００６３】
このようにデータの選択時には「緑色」、選択したデータの決定時には「水色」等のように、「フォーカスの色」と「ゲージ上に表示される色」とに同じ色を用いることにより、「選択中のデータとこの選択中のデータを削除した場合に得られる空き領域」、及び「削除を決定したデータとこの削除の決定により得られる空き領域」を、ユーザに対して直感的に認識させることができる。
【００６４】
次に、ユーザにより削除するデータの決定操作（上記決定キー２６の押圧操作）がなされると、制御部１０は、ステップＳ１０において、ユーザにより削除することが決定されたデータを削除することで、書き込みを行うデータに対する空き領域が確保されたか否か（不足分が解消されたか否か）を判別する。そして、不足分が解消された場合には、処理をステップＳ１１に進め、不足分が解消しない場合は処理をステップＳ６に戻す。
【００６５】
不足分が解消されない場合、ユーザは、前述のように回転操作部１４の回転操作ダイヤル２４の回転操作することで、上記緑色のフォーカスを移動操作して所望のデータを選択し、決定キー２６を押圧操作して、その選択したデータの削除を決定することとなる。
【００６６】
このような選択及び決定の操作を繰り返すことで、削除するデータが順次決定され、図９に示すように、ゲージ上における「水色」で表示される範囲が徐々に伸びていくこととなる。そして、メモリ９に最初から存在する空き領域（ゲージ上に白色の範囲で表示された空き領域）と、データを削除することで形成される空き領域（ゲージ上に水色の範囲で表示された空き領域）との「総和の容量」が、書き込みを行うデータのデータ量以上となった際に、制御部１０は、ステップＳ１１に処理を進め、図１０に示すように例えば「上書きできます」等の、データの書き込みが可能となった旨のメッセージを表示部７に表示制御する。これにより、ユーザは、いくつかのデータを削除することで、これから書き込みを行おうとしているデータのデータ量に対応する空き領域が、メモリ９内に形成されたことを認識することができる。
【００６７】
また、制御部１０は、このようなメッセージと共に、図１０に示すように表示部７の表示領域の略左下部分に「上書」の文字を表示制御する。これは、図２に示す右キー１５を押圧操作することで、データの上書きが開始されることを意味している。このため、制御部１０は、図５のフローチャートのステップＳ１２において、この右キー１５の押圧操作の有無を判別することで、データの上書きが指定されたか否かを判別する。そして、右キー１５の押圧操作を検出したタイミングでステップＳ１３に処理進め、このステップＳ１３において、上記形成されたメモリ９内の空き領域にデータを書き込み制御して、この図４〜図５に示すフローチャートの一連の処理を終了する。
【００６８】
なお、前述のように、削除されるデータは、回転操作ダイヤル２４の回転操作で選択され、決定キー２６の押圧操作で決定されるのであるが、制御部１０は、このように選択され決定されたデータを直ちにメモリ９から削除するのではなく、その選択され決定されたデータが記憶されているメモリ９上の範囲を、書き込みを行う領域として認識し、この領域に新たなデータの上書きを行うことで、前に記憶されていたデータを消去するようになっている。
【００６９】
このため、一度、選択して消去を決定したデータであっても、この消去の決定を解除することも可能となっている。この場合、ユーザは、水色のフォーカスがあてられている決定済みのデータの表示位置に上記緑色のフォーカスを移動操作する。制御部１０は、決定済みのデータの表示位置に上記緑色のフォーカスが移動操作されうと、図１１に示すように、表示部７の表示領域の下端領域の略中央に「解除」の文字を表示制御する。これは、決定キー２６を押圧操作することで、現在、緑色のフォーカスのあたっているデータの削除を解除されることを意味している。このため、ユーザは、現在、水色のフォーカスのあてられているデータの中から、削除の解除を行うデータに緑色のフォーカスがあてられるように、該緑色のフォーカスを移動操作し、決定キー２６を押圧操作する。
【００７０】
この決定キー２６の押圧操作が行われると、制御部１０は、上書きを行う領域として設定していた上記削除が決定されていたデータの記憶領域を、再度、上書きを行わない領域として設定し直す。そして、ユーザの上記選択操作及び決定操作に応じて、再度、上書きを行うデータの記憶領域を、データの上書きを行う領域として設定し直すこととなる。
【００７１】
［実施の形態の効果］
以上の説明から明らかなように、この実施の形態の携帯電話機は、ゲージ上において、
１．最初から存在する空き領域の範囲を「白色」で表示し、
２．データの上書きに必要となる空き領域（不足分）に対応する範囲を「黄色」で表示し、
３．上書き候補となる選択中のデータのデータ量に対応する範囲を「緑色」で表示し、
４．上書き候補として決定されたデータのデータ量に対応する範囲を「水色」で表示
する。
【００７２】
これにより、ユーザに対して、「最初から存在する空き領域（白色）」、「データの上書きに必要となる空き領域（黄色）」、「選択中のデータを削除した場合に得られる空き領域（緑色）」、及び「データを削除することで得られた空き領域（水色）」を明確に分けて認識させることができる。このため、削除するデータの組み合わせを検討しながら空き領域を確保することができる。
【００７３】
また、削除するデータの選択時には「緑色」、選択したデータの決定時には「水色」等のように、「フォーカスの色」と「ゲージ上に表示される色」とに同じ色を用いることにより、「選択中のデータとこの選択中のデータを削除した場合に得られる空き領域」、及び「削除を決定したデータとこの削除の決定により得られる空き領域」を、ユーザに対して直感的に認識させることができる。
【００７４】
また、保護設定のなされているデータが削除候補として決定操作された場合は、ユーザに対して保護設定のなされているデータである旨のメッセージ（ビープ音等でもよい）を表示しているため、保護設定のなされているデータに対して、新たなデータが誤って上書きされる不都合を防止することができる。
【００７５】
なお、上述の実施の形態の説明では、本発明を携帯電話機に適用することとしたが、本発明は、この他、ＰＨＳ電話機（PHS：Personal Handyphone System），ＰＤＡ装置（PDA：Personal Digital Assistant）、ノート型のパーソナルコンピュータ装置、デスクトップ型のパーソナルコンピュータ装置等のあらゆる端末装置に適用可能である。
【００７６】
また、ゲージは帯状であることとしたが、これはリング状や螺旋状等、任意の表示形状で表示してもよい。
【００７７】
最後に、上述の実施の形態は、あくまでも本発明の一例として開示したに過ぎない。このため、本発明は、上述の実施の形態以外であっても、本発明に係る技術的思想を逸脱しない範囲であれば、設計等に応じて種々の変更が可能であることは勿論であることを付け加えておく。
【図面の簡単な説明】
【００７８】
【図１】本発明を適用した実施の形態の携帯電話機のブロック図である。
【図２】実施の形態の携帯電話機の外観を示す図である。
【図３】実施の形態の携帯電話機の削除アプリケーションプログラムに基づく一連の動作のうち、前段部分の動作の流れを示すフローチャートである。
【図４】実施の形態の携帯電話機の削除アプリケーションプログラムに基づく一連の動作のうち、中段部分の動作の流れを示すフローチャートである。
【図５】実施の形態の携帯電話機の削除アプリケーションプログラムに基づく一連の動作のうち、後段部分の動作の流れを示すフローチャートである。
【図６】削除アプリケーションプログラムが起動した際に、当該携帯電話機の表示部に最初に表示される表示画面の一例を示す図である。
【図７】削除候補となるデータが選択操作された場合における表示画面の一例を示す図である。
【図８】削除候補となるデータの削除が決定操作された場合における表示画面の一例を示す図である。
【図９】削除候補となるデータの削除の決定操作を繰り返し実行した場合における、表示画面の一例を示す図である。
【図１０】削除候補となるデータの削除の決定操作を繰り返し実行することで、新たに書き込みを行うデータのデータ量に対応する空き領域が確保された場合における、表示画面の一例を示す図である。
【図１１】削除を決定したデータの、該削除の決定を解除する場合における、表示画面の一例を示す図である。
【符号の説明】
【００７９】
１  アンテナ、２  通信回路、３  スピーカ部、４  マイクロホン部、５  カメラ部、６  操作部、７  表示部、８  メモリ（ＲＯＭ）、９  メモリ（ＲＡＭ：内部メモリ及び外部メモリ）、１０  制御部、１４  回転操作部、１５  右キー、１６  左キー、１８  オンフックキー、１９  オフフックキー、２２  上操作部、２３  下操作部、２４  回転ダイヤル、２５  十字キー、２６  決定キー、３１  上筐体、３２  下筐体
【図１】
2006024091.tif 000003
【図２】
2006024091.tif 000004
【図３】
2006024091.tif 000005
【図４】
2006024091.tif 000006
【図５】
2006024091.tif 000007
【図６】
2006024091.tif 000008
【図７】
2006024091.tif 000009
【図８】
2006024091.tif 000010
【図９】
2006024091.tif 000011
【図１０】
2006024091.tif 000012
【図１１】
2006024091.tif 000013
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
記憶手段に書き込みを行う書き込みデータのデータ量に対して、上記記憶手段の空き容量が不足する場合に、上記記憶手段に記憶済みのデータのデータ名の一覧を表示手段に表示するデータ一覧表示手段と、
ユーザが操作手段を操作することで移動操作可能となっており、上記データ名の一覧の中から、上記書き込みを行うデータで上書きするデータを選択するための操作子を第１の色で上記表示手段に表示する操作子表示手段と、
所定形状のゲージを上記表示手段に表示すると共に、上記記憶手段に対して上記データの書き込みを行う際に不足する不足容量に対応する上記ゲージ上の範囲を第２の色で表示し、上記操作子で選択されたデータを削除した場合に得られる空き容量に対応する上記ゲージ上の範囲を、上記操作子と同色である上記第１の色で表示するゲージ表示手段
としてコンピュータを機能させる表示制御プログラム。
【請求項２】
請求項１に記載の表示制御プログラムであって、
上記ゲージ表示手段としてコンピュータを機能させる際に、上記記憶手段に存在する空き容量に対応する上記ゲージ上の範囲を第３の色で表示する上記ゲージ表示手段としてコンピュータを機能させること
を特徴とする表示制御プログラム。
【請求項３】
請求項２に記載の表示制御プログラムであって、
ユーザが上記操作手段を操作することで、上記操作子で選択したデータに対する、上記書き込みデータの上書きを決定する操作がなされた際に、上記操作子を第４の色に変更表示すると共に、上記操作子で選択したデータを削除した場合に得られる空き容量に対応する上記ゲージ上の範囲を、上記変更表示した操作子と同色である上記第４の色に変更表示する上記ゲージ表示手段としてコンピュータを機能させること
を特徴とする表示制御プログラム。
【請求項４】
請求項３に記載の表示制御プログラムであって、
ユーザが上記操作手段を操作することで、上記操作子で選択したデータに対する、上記書き込みデータの上書きを決定する操作がなされた際に、上記操作子で選択されたデータに対して、書き込み保護設定がなされているか否かを判別する判別手段としてコンピュータを機能させ、
上記判別手段としてコンピュータを機能させた際に、上記操作子で選択したデータに対して書き込み保護設定がなされていないことを示す判別結果が得られた場合に、上記操作子及び該操作子で選択したデータを削除した場合に得られる空き容量に対応する上記ゲージ上の範囲を、上記第４の色に変更表示する上記ゲージ表示手段としてコンピュータを機能させること
を特徴とする表示制御プログラム。
【請求項５】
記憶手段に書き込みを行う書き込みデータのデータ量に対して、上記記憶手段の空き容量が不足する場合に、上記記憶手段に記憶済みのデータのデータ名の一覧を表示手段に表示するデータ一覧表示手段と、
ユーザが操作手段を操作することで移動操作可能となっており、上記データ名の一覧の中から、上記書き込みを行うデータで上書きするデータを選択するための操作子を第１の色で上記表示手段に表示する操作子表示手段と、
所定の形状のゲージを上記表示手段に表示すると共に、上記記憶手段に対して上記データの書き込みを行う際に不足する不足容量に対応する上記ゲージ上の範囲を第２の色で表示し、上記操作子で選択されたデータを削除した場合に得られる空き容量に対応する上記ゲージ上の範囲を、上記操作子と同色である上記第１の色で表示するゲージ表示手段と
を有する端末装置。
【請求項６】
請求項５に記載の端末装置であって、
上記ゲージ表示手段は、上記記憶手段に存在する空き容量に対応する上記ゲージ上の範囲を第３の色で表示すること
を特徴とする端末装置。
【請求項７】
請求項６に記載の端末装置であって、
上記ゲージ表示手段は、ユーザが上記操作手段を操作することで、上記操作子で選択したデータに対する、上記書き込みデータの上書きを決定する操作がなされた際に、上記操作子を第４の色に変更表示すると共に、上記操作子で選択したデータを削除した場合に得られる空き容量に対応する上記ゲージ上の範囲を、上記変更表示した操作子と同色である上記第４の色に変更表示すること
を特徴とする端末装置。
【請求項８】
請求項７に記載の端末装置であって、
ユーザが上記操作手段を操作することで、上記操作子で選択したデータに対する、上記書き込みデータの上書きを決定する操作がなされた際に、上記操作子で選択されたデータに対して、書き込み保護設定がなされているか否かを判別する判別手段を有し、
上記ゲージ表示手段は、上記判別手段から、上記操作子で選択したデータに対して書き込み保護設定がなされていないことを示す判別結果が得られた場合に、上記操作子及び該操作子で選択したデータを削除した場合に得られる空き容量に対応する上記ゲージ上の範囲を、上記第４の色に変更表示すること
を特徴とする端末装置。
【請求項９】
データ一覧表示手段が、記憶手段に書き込みを行う書き込みデータのデータ量に対して、上記記憶手段の空き容量が不足する場合に、上記記憶手段に記憶済みのデータのデータ名の一覧を表示手段に表示するステップと、
操作子表示手段が、ユーザが操作手段を操作することで移動操作可能となっており、上記データ名の一覧の中から、上記書き込みを行うデータを上書きするデータを選択するための操作子を第１の色で上記表示手段に表示するステップと、
ゲージ表示手段が、所定の形状のゲージを上記表示手段に表示すると共に、上記記憶手段に対して上記データの書き込みを行う際に不足する不足容量に対応する上記ゲージ上の範囲を第２の色で表示し、上記操作子で選択されたデータを削除した場合に得られる空き容量に対応する上記ゲージ上の範囲を、上記操作子と同色である上記第１の色で表示するステップと
を有する表示制御方法。
【請求項１０】
上記ゲージの表示を行うステップでは、上記データ一覧表示手段が、上記記憶手段に存在する空き容量に対応する上記ゲージ上の範囲を第３の色で表示すること
を特徴とする表示制御方法。
【手続補正２】
【補正対象書類名】明細書
【補正対象項目名】００１６
【補正方法】変更
【補正の内容】
【００１６】
本発明は、
記憶手段に書き込みを行う書き込みデータのデータ量に対して、上記記憶手段の空き容量が不足する場合に、上記記憶手段に記憶済みのデータのデータ名の一覧を表示手段に表示し、
ユーザが操作手段を操作することで移動操作可能となっており、上記データ名の一覧の中から、上記書き込みを行うデータで上書きするデータを選択するための操作子を第１の色で上記表示手段に表示し、
所定形状のゲージを上記表示手段に表示すると共に、上記記憶手段に対して上記データの書き込みを行う際に不足する不足容量に対応する上記ゲージ上の範囲を第２の色で表示し、上記操作子で選択されたデータを削除した場合に得られる空き容量に対応する上記ゲージ上の範囲を、上記操作子と同色である上記第１の色で表示する。また、上記記憶手段に存在する空き容量に対応する上記ゲージ上の範囲を第３の色で表示する。
【手続補正３】
【補正対象書類名】明細書
【補正対象項目名】００１７
【補正方法】変更
【補正の内容】
【００１７】
このような本発明は、記憶手段に対してデータの書き込みを行う際に不足する不足容量に対応するゲージ上の範囲を第２の色で表示し、上記操作子で選択されたデータを削除した場合に得られる空き容量に対応する範囲を、上記操作子と同色である上記第１の色で表示することで、ユーザが、「データの書き込みを行う際に不足する不足容量」及び「操作子で選択されたデータを削除した場合に得られる空き容量」を明確に認識可能とする。また、記憶手段に存在する空き容量に対応する上記ゲージ上の範囲を第３の色で表示することで、データの書き込みの際に記憶手段が有している空き容量を、ユーザが明確に認識可能とする。
【手続補正４】
【補正対象書類名】明細書
【補正対象項目名】００１８
【補正方法】変更
【補正の内容】
【００１８】
また、削除候補となるデータの選択を行う上記操作子と、この操作子で選択されたデータを削除した場合に得られる空き容量に対応する上記ゲージ上の範囲を、上記操作子と同色である上記第１の色で表示することで、両者の関係をユーザが直感的に認識可能とする。
【手続補正５】
【補正対象書類名】明細書
【補正対象項目名】００２０
【補正方法】変更
【補正の内容】
【００２０】
このような本発明は、削除候補となるデータの選択を行う上記操作子と、この操作子で選択されたデータを削除した場合に得られる空き容量に対応する上記ゲージ上の範囲を、上記操作子と同色である上記第４の色で表示することで、削除が決定されたデータ、及びこのデータを削除することで得られる空き容量の関係をユーザが直感的に認識可能とする。
【手続補正６】
【補正対象書類名】明細書
【補正対象項目名】００３７
【補正方法】変更
【補正の内容】
【００３７】
なお、前述のようにデータの書き込みを行うメモリは、ユーザにより予め指定されている。このため、書き込みを行うデータのデータ量に対して、メモリ９の空き容量が不足しているものと判別した場合は、制御部１０が、ユーザに対して、書き込み先に指定されているメモリの変更を行うか否かを問うメッセージ等を表示部７に表示制御するステップと、このメッセージに対応して、ユーザから書き込み先となるメモリの変更操作がなされた場合は、処理を上記ステップＳ１に戻し、この変更されたメモリの空き容量を検出するステップと、変更されたメモリの空き容量が、書き込みを行うデータのデータ量以上であった場合に、処理をステップＳ１４に進めて、この変更されたメモリに対してデータの書き込みを行うステップとを実行するようにしてもよい。上記変更されたメモリの空き容量が、書き込みを行うデータのデータ量よりも少なかった場合、制御部１０は、以下に説明するステップＳ２に処理を進めることとなる。
【手続補正７】
【補正対象書類名】明細書
【補正対象項目名】００３８
【補正方法】変更
【補正の内容】
【００３８】
次に、ステップＳ２では、制御部１０が、メモリ８に記憶されている削除アプリケーションプログラムを起動して処理をステップＳ３に進め、このステップＳ３において、メモリ９に形成されているフォルダの一覧と共に、帯状のゲージを表示部７に表示制御する。また、制御部１０は、フォルダ一覧の中から、データの書き込みを行うフォルダを選択するためのフォーカスを表示制御する。
【手続補正８】
【補正対象書類名】明細書
【補正対象項目名】００４２
【補正方法】削除
【補正の内容】
【手続補正９】
【補正対象書類名】明細書
【補正対象項目名】００４８
【補正方法】変更
【補正の内容】
【００４８】
図７に、データ一覧及びゲージが表示された表示画面の一例を示す。この図７は、データ一覧として「Ａｐｐ００１（Ａｐｐ：アプリケーションプログラム）」、「Ａｐｐ００２」、「Ａｐｐ００３」・・・が表示され、この画像フォルダの全記憶領域のうち、現在、３２ＫＢが使用されており、データの書き込みを行うのに１６０ＫＢの空き領域が必要となる事を示す数値が表示され、ゲージのうち、略１／６程度の領域がメモリ９の空き領域を示す「白色」で表示され、残り略５／６程度の領域がデータの書き込みを行うのに不足する領域を示す「黄色」で表示されている例である。また、この図７は、フォルダ一覧のうち、最上段に表示した「Ａｐｐ００１」のデータ名に対して「緑色」のフォーカスがあてられている例である。
【手続補正１０】
【補正対象書類名】明細書
【補正対象項目名】００４９
【補正方法】変更
【補正の内容】
【００４９】
このような表示制御により、ユーザは、
１．ゲージ上に「白色」で表示された範囲で、メモリ９に最初から存在する空き領域を認識することができ、
２．現在選択中のデータに緑色のフォーカスがあてられ、このデータを削除することでメモリ９に形成される空き領域の範囲がゲージ上に「緑色」で表示されるため、同じ緑色で表示されることで、上記データを削除することでメモリ９に形成される空き領域を直感的に認識することができ、
３．ゲージ上には、メモリ９に最初から存在する空き領域の範囲が「白色」で表示され、データを削除することでメモリ９に形成される空き領域の範囲が「緑色」で表示されるため、両者を分けて認識することができる。
【手続補正１１】
【補正対象書類名】明細書
【補正対象項目名】００６１
【補正方法】変更
【補正の内容】
【００６１】
すなわち、この携帯電話機の場合、
１．削除するデータを選択するためのフォーカスの色を「緑色」とし、回転操作部１４の回転操作ダイヤル２４の回転操作に応じて、この「緑色」のフォーカスを移動制御する、
２．「緑色」のフォーカスをあてたデータのデータ量に対応するゲージ上の範囲を、この「緑色」のフォーカスと同色の「緑色」で表示する、
３．決定キー２６の押圧操作を検出した場合、「緑色」のフォーカスをあてていたデータの該フォーカスの色を「水色」のフォーカスに変更すると共に、ゲージ上に「緑色」のフォーカスをあてていた範囲を、この水色のフォーカスと同色の「水色」で表示する。
【手続補正１２】
【補正対象書類名】明細書
【補正対象項目名】００６７
【補正方法】変更
【補正の内容】
【００６７】
また、制御部１０は、このようなメッセージと共に、図１０に示すように表示部７の表示領域の略右下部分に「上書」の文字を表示制御する。これは、図２に示す右キー１５を押圧操作することで、データの上書きが開始されることを意味している。このため、制御部１０は、図５のフローチャートのステップＳ１２において、この右キー１５の押圧操作の有無を判別することで、データの上書きが指定されたか否かを判別する。そして、右キー１５の押圧操作を検出したタイミングでステップＳ１３に処理を進め、このステップＳ１３において、上記形成されたメモリ９内の空き領域にデータを書き込み制御して、この図３〜図５に示すフローチャートの一連の処理を終了する。
【手続補正１３】
【補正対象書類名】明細書
【補正対象項目名】００６９
【補正方法】変更
【補正の内容】
【００６９】
このため、一度、選択して消去を決定したデータであっても、この消去の決定を解除することも可能となっている。この場合、ユーザは、水色のフォーカスがあてられている決定済みのデータの表示位置に上記緑色のフォーカスを移動操作する。制御部１０は、決定済みのデータの表示位置に上記緑色のフォーカスが移動操作されると、図１１に示すように、表示部７の表示領域の下端領域の略中央に「解除」の文字を表示制御する。これは、決定キー２６を押圧操作することで、現在、緑色のフォーカスのあたっているデータの削除が解除されることを意味している。このため、ユーザは、現在、水色のフォーカスのあてられているデータの中から、削除の解除を行うデータに緑色のフォーカスがあてられるように、該緑色のフォーカスを移動操作し、決定キー２６を押圧操作する。
【手続補正１４】
【補正対象書類名】図面
【補正対象項目名】図３
【補正方法】変更
【補正の内容】
【図３】
2006024091.tif 000014